(57)【特許請求の範囲】
【請求項１】
角形状開口部の全周縁にフランジ部を備えた容器本体と、角部を除く辺に突出した摘み部を備えた前記フランジ部の外形と略同じ大きさの紙製蓋体とからなり、前記紙製蓋体には前記摘み部の両立上り部に切欠が設けられ、該切欠のそれぞれの先端から前記角形状開口部側へ延びる摘み部用切目手段が設けられ、該摘み部用切目手段の前記角形状開口部側先端から互いに乖離するように略ハの字形状の開口開始用切目手段が前記角形状開口部に至るように設けられ、前記開口開始用切目手段の前記角形状開口部にある一方の先端から他方の先端へ前記角形状開口部の周縁の内側であって周縁に沿って略一周するように開口用裏半切線が設けられ、さらに前記開口開始用切目手段の前記角形状開口部にある一方の先端から他方の先端へ前記開口用裏半切線より前記角形状開口部の周縁側に前記開口用裏半切線と略平行に開口用表半切線が設けられてなり、前記紙製蓋体の前記切欠と前記摘み部用切目手段と前記開口開始用切目手段とで挟まれた前記摘み部に連接する部分に対応する前記容器本体の前記フランジ部を除いて前記容器本体の前記フランジ部を前記紙製蓋体で熱接着したことを特徴とする包装容器。
【請求項２】
前記摘み部用切目手段が摘み部用裏半切線であることを特徴とする請求項１記載の包装容器。
【請求項３】
前記摘み部用切目手段が摘み部用切込線であることを特徴とする請求項１記載の包装容器。
【請求項４】
前記紙製蓋体の前記切欠と前記摘み部用切目手段と前記開口開始用切目手段とで挟まれた前記摘み部に連接する部分に対応する前記容器本体の前記フランジ部に外周縁から前記角形状開口部の周縁に至らない凹部が設けられていることを特徴とする請求項１〜３のいずれかに記載の包装容器。
【請求項５】
前記紙製蓋体の前記切欠と前記摘み部用切目手段と前記開口開始用切目手段とで挟まれた前記摘み部に連接する部分と前記紙製蓋体の前記切欠と前記摘み部用切目手段と前記開口開始用切目手段とで挟まれた前記摘み部に連接する部分に対応する前記容器本体の前記フランジ部とが部分的に熱接着されていることを特徴とする請求項１〜４のいずれかに記載の包装容器。
【請求項６】
前記紙製蓋体が矩形状からなり、短辺に突出した摘み部を有することを特徴とする請求項１〜５のいずれかに記載の包装容器。
【発明の詳細な説明】
【０００１】
【発明の属する技術分野】
本発明は、食品などを容器本体に充填した後に紙製蓋体で熱接着して封緘する包装容器に関し、さらに詳しくは、蓋体の開封が容易であって、かつ、蓋体の開封部が綺麗な包装容器に関するものである。
【０００２】
【従来の技術】
従来、アイスクリーム用包装容器としては、紙製容器本体にアイスクリームを充填し、蓋体として紙製落とし蓋を用いて封緘したもの、あるいは、蓋体として紙製嵌合蓋を用いて封緘したもの、あるいは、樹脂成形品からなる容器本体に蓋体として樹脂成形品の嵌合蓋を用いて封緘したもの等を挙げることができる。
【０００３】
しかし、上記の構成は、いずれも過去から変わることなく使用されてきた形態であり、目新しさに欠けるために、これらの構成に取って代わる新規な構成が要望されるようになってきた。さらにまた、上記いずれのアイスクリーム用包装容器も、未開封のものか、一度開封されて再度封緘されたものかを判断することができず、悪戯等に対して全く無防備なものであった。
【０００４】
【発明が解決しようとする課題】
そこで本発明は、上記問題に鑑みてなされたものであり、その目的とするところは、蓋体の開封が容易、かつ、蓋体の開封部が綺麗な包装容器であって、さらに一度開封すると再封することができないために悪戯等の改鼠行為を抑止することができる包装容器を提供することにある。
【０００５】
【課題を解決するための手段】
本発明者は、上記のような課題を達成するために、まず、請求項１記載の発明の包装容器は、角形状開口部の全周縁にフランジ部を備えた容器本体と、角部を除く辺に突出した摘み部を備えた前記フランジ部の外形と略同じ大きさの紙製蓋体とからなり、前記紙製蓋体には前記摘み部の両立上り部に切欠が設けられ、該切欠のそれぞれの先端から前記角形状開口部側へ延びる摘み部用切目手段が設けられ、該摘み部用切目手段の前記角形状開口部側先端から互いに乖離するように略ハの字形状の開口開始用切目手段が前記角形状開口部に至るように設けられ、前記開口開始用切目手段の前記角形状開口部にある一方の先端から他方の先端へ前記角形状開口部の周縁の内側であって周縁に沿って略一周するように開口用裏半切線が設けられ、さらに前記開口開始用切目手段の前記角形状開口部にある一方の先端から他方の先端へ前記開口用裏半切線より前記角形状開口部の周縁側に前記開口用裏半切線と略平行に開口用表半切線が設けられてなり、前記紙製蓋体の前記切欠と前記摘み部用切目手段と前記開口開始用切目手段とで挟まれた前記摘み部に連接する部分に対応する前記容器本体の前記フランジ部を除いて前記容器本体の前記フランジ部を前記紙製蓋体で熱接着したことを特徴とするものである。
【０００６】
また、請求項２記載の発明は、請求項１記載の包装容器において、前記摘み部用切目手段が摘み部用裏半切線であることを特徴とするものである。
【０００７】
また、請求項３記載の発明は、請求項１記載の包装容器において、前記摘み部用切目手段が摘み部用切込線であることを特徴とするものである。
【０００８】
上記請求項１〜３の構成とすることにより、摘み部を摘んで角形状開口部側へ摘み上げることにより、紙製蓋体に設けた切欠から摘み部用切目手段、開口開始用切目手段を経て、開口用裏半切線と開口用表半切線に沿って開封することができるために、容易に開封することができると共に、綺麗な開封部を得ることができる。さらに一度開封すると再封不可能であり、悪戯等の改竄行為を抑止することができる。
【０００９】
また、請求項４記載の発明は、請求項１〜３のいずれかに記載の包装容器において、前記紙製蓋体の前記切欠と前記摘み部用切目手段と前記開口開始用切目手段とで挟まれた前記摘み部に連接する部分に対応する前記容器本体の前記フランジ部に外周縁から前記角形状開口部の周縁に至らない凹部が設けられていることを特徴とするものである。このように構成することにより、摘み部の突出長さが小さくても、より摘み易い摘み部とすることができる。
【００１０】
また、請求項５記載の発明は、請求項１〜４のいずれかに記載の包装容器において、前記紙製蓋体の前記切欠と前記摘み部用切目手段と前記開口開始用切目手段とで挟まれた前記摘み部に連接する部分と前記紙製蓋体の前記切欠と前記摘み部用切目手段と前記開口開始用切目手段とで挟まれた前記摘み部に連接する部分に対応する前記容器本体の前記フランジ部とが部分的に熱接着されていることを特徴とするものである。このように構成することにより、一層悪戯等の改竄行為を抑止することができる。
【００１１】
また、請求項６記載の発明は、請求項１〜５のいずれかに記載の包装容器において、前記紙製蓋体が矩形状からなり、短辺に突出した摘み部を有することを特徴とするものである。このように構成することにより、開封方向が紙製蓋体の長手方向と一致するため、スムーズに開封することができる。
【００１２】
【発明の実施の形態】
上記の本発明について、以下に図面等を用いて詳述する。
図１は本発明にかかる包装容器の一実施例を示す概略斜視図、図２は図１に示す包装容器を紙製蓋体側から見た平面図、図３（ａ）は図２のＸ−Ｘ線断面図、図３（ｂ）は図２のＹ−Ｙ線断面図、図３（ｃ）は図２のＺ−Ｚ線断面図、図４は本発明の紙製蓋体を開封した状態を示す図３（ｃ）に対応する図、図５は本発明の紙製容器本体の一実施例を示す一部透視斜視図、図６は図５の展開図であり、図中の１は包装容器、２，２’は容器本体、３は紙製蓋体、２０はフランジ部、２１は凹部、２２，３１は切欠、３０は摘み部、３２は摘み部用切目手段、３３は開口開始用切目手段、３４は開口用裏半切線、３５は開口用表半切線、２００は底壁、２０１，２０２は側壁、２０３は折込み接合壁、２０３ａ、２０３ｂは折込み板、２０４，２０５はフランジ板、２０６はフランジ接合片、２１０，２１１，２１２，２１３，２１４，２１５は折罫、α，βは端部をそれぞれ示す。
【００１３】
図１は本発明の包装容器の一実施例を示す概略斜視図であって、包装容器１は長方形状開口部の全周縁にフランジ部２０を備えた紙製容器本体２と、一方の短辺に突出した摘み部３０を備えた前記フランジ部２０の外形と略同じ大きさの紙製蓋体３とを、後述する前記紙製蓋体３に設けた前記摘み部３０に連接する部分Ａに対応する前記容器本体２の前記フランジ部２０を除いて前記容器本体２の前記フランジ部２０を前記紙製蓋体３で熱接着（図１上斜線でした部分）したものである。
【００１４】
まず、本発明の包装容器を構成する紙製蓋体について説明する。
図２は図１に示す包装容器を紙製蓋体側から見た平面図であって、紙製蓋体３は略長方形状からなり、一方の短辺に突出した摘み部３０が設けられ、前記摘み部３０の両立上り部にＶの字形状の切欠３１が設けられ、該切欠３１の先端から前記フランジ部２０の幅の略１／２まで長方形状開口部側へ延びる互いに平行な摘み部用切込線からなる摘み部用切目手段３２が設けられ、該摘み部用切目手段３２の前記長方形状開口部側先端から互いに乖離するように略ハの字形状の開口開始用切目手段３３が長方形状開口部に至るように設けられ、前記開口開始用切目手段３３の前記長方形状開口部にある一方の先端から他方の先端へ前記長方形状開口部の周縁に沿って略一周するように開口用裏半切線３４が設けられ、さらに前記開口開始用切目手段３３の前記長方形状開口部にある一方の先端から他方の先端へ前記開口用裏半切線３４より前記長方形状開口部の周縁側に前記開口用裏半切線３４と略平行に開口用表半切線３５が設けられているものである。そして、前記紙製蓋体３の前記切欠３１と前記摘み部用切目手段３２と前記開口開始用切目手段３３とで挟まれた前記摘み部３０に連接する部分Ａに対応する前記容器本体２の前記フランジ部を除いて前記容器本体２の前記フランジ部２０を前記紙製蓋体３で熱接着してある。なお、前記開口用裏半切線３４と前記開口用表半切線３５との間隔は、可能な限り狭い方が好ましいが、加工精度上１〜３ｍｍ程度が適当である。
【００１５】
上記のような紙製蓋体３としては、図示はしないが、少なくとも紙基材と、該紙基材の容器本体２側の表出層に熱接着性樹脂層とを備えた構成からなるものであれば、特に限定されるものでなく、たとえば、紙基材として２６０ｇ／ｍ2の紙器用紙を用い、該紙基材の一方の面に熱接着性樹脂層として２０〜６０μｍ厚さのポリエチレンやポリプロピレンなどのオレフィン系樹脂層を設けた構成、あるいは、上記した構成の前記紙基材の他方の面に１２〜２５μｍ厚さの１軸ないし２軸方向に延伸したポリオレフィン系樹脂層やポリエステル系樹脂層あるいはポリアミド系樹脂層などの表面層を設けた構成などを挙げることができる。なお、前記熱接着性樹脂層はＴダイ押出機を用いたＴダイ押出し法やドライラミネーション法などの周知の積層法で設けることができるし、また、前記表面層についても、Ｔダイ押出機を用いたサンドラミネーション法やドライラミネーション法などの周知の積層法で設けることができる。
【００１６】
図３（ａ）は図２のＸ−Ｘ線断面図、図３（ｂ）は図２のＹ−Ｙ線断面図、図３（ｃ）は図２のＺ−Ｚ線断面図であって、図３に示すように、摘み部用切込線からなる摘み部用切目手段３２は紙製蓋体３を完全に切断して設けてあり、略ハの字形状の開口開始用切目手段３３は紙製蓋体３の熱接着性樹脂層側（容器本体２側）から紙基材に至るように設けてあり、開口用裏半切線３４は前記略ハの字形状の開口開始用切目手段３３と同様に前記紙製蓋体３の熱接着性樹脂層側（容器本体２側）から紙基材に至るように設けてあり、開口用表半切線３５は前記紙製蓋体３の表面層側から紙基材に至るように設けてある。そして、前記切欠３１と前記摘み部用切込線からなる摘み部用切目手段３２と前記略ハの字形状の開口開始用切目手段３３と前記開口用裏半切線３４とは一体的に設けられ、前記開口用表半切線３５は別工程で設けられる。また、摘み部用切目手段３２を摘み部用切込線からなるということで説明してきたが、前記摘み部用切目手段３２はこれに限ることはなく、前記開口用裏半切線３４のような摘み部用裏半切線からなるものであってもよい。また、開口開始用切目手段３３及び摘み部用切目手段３２を共に切込線とすることも可能であり、この場合は開口用裏半切線３４をまず形成し、その後に開口開始用切目手段３３、摘み部用切目手段３２及び開口用表半切線３５を同時に形成する。このようにすれば、一層容易に開口を形成することができると共に、開封部がより綺麗になり好ましい。また、前記切欠３１についてもＶの字形状に限ることはなく、たとえば、Ｉの字形状であっても構わない。
【００１７】
このように構成された本発明の包装容器１の開封は、紙製蓋体３の摘み部３０を手指で摘んで長方形状開口部側へ摘み上げることにより、紙製蓋体３に設けたＶの字形状の切欠３１から摘み部用切込線からなる摘み部用切目手段３２、開口開始用切目手段３３を経て、開口用裏半切線３４と開口用表半切線３５に至り、その後は図４に示すように前記開口用裏半切線３４と前記開口用表半切線３５との間で紙の層間剥離を起こして前記開口用裏半切線３４と前記開口用表半切線３５とに沿って容易に開封することができ、紙製容器本体２の長方形状開口部とほぼ同じ大きさの綺麗な開封部を得ることができる。また、一度開封すると再封不可能であり、悪戯等の改竄行為を抑止することができる。
【００１８】
次に、本発明の包装容器を構成する容器本体について説明する。
容器本体２としては、紙製蓋体３に設けた熱接着性樹脂層と熱接着可能なフランジ部２０を少なくとも有するものであれば、特に限定するものではなく、合成樹脂製からなる成形容器、あるいは、紙製からなる絞り成形容器、あるいは、紙製からなる組立容器のいずれであってもよいが、紙製からなる組立容器（以下、紙製容器本体と呼称する）を例に挙げて説明する。
【００１９】
図５は本発明の紙製容器本体の一実施例を示す一部透視斜視図、図６は図５の展開図であって、紙製容器本体２’は、２４０〜４００ｇ／ｍ2程度の紙器用紙の少なくとも一方の面（容器としたときに内容物が収納される側の面）全面に２０〜６０μｍ厚さのポリエチレン、ポリプロピレンなどのオレフィン系樹脂等からなる熱接着性樹脂層を設けた層構成の原紙を用い、図６に示すように長方形状底壁２００の四方の端縁に折罫２１０、２１１を介して側壁２０１、２０２を設け、隣り合う側壁２０１、２０２の側端縁の間に両側端縁を連結すると共に罫線２１２を介して折り畳み自在に隣接する折込み板２０３ａ、２０３ｂを有する折込み接合壁２０３を設け、前記側壁２０１、２０２と前記折込み板２０３ａの外縁に折罫２１３、２１４及び２１５を介してフランジ板２０４、２０５及びフランジ接合片２０６を設けている。そして、前記フランジ板２０５の一方の略中央部に外周縁から略コの字形状の凹部２１を切り欠いて設け、該凹部２１を設けた前記フランジ板２０５側の前記フランジ接合片２０６に切欠２２を設けたブランク板を組み立てることにより得ることができる。
【００２０】
上記のように構成されたブランク板の組立を具体的に説明すると、折罫２１０、２１１、２１３、２１４、２１５でそれぞれ側壁２０１、２０２、フランジ板２０４、２０５、フランジ接合片２０６を折り曲げると共に、折罫２１２で折込み接合壁２０３を折り曲げてフランジ板２０５の端部αがフランジ板２０４の端部βの上側に位置するように、また、前記フランジ接合片２０６が前記フランジ板２０５の下側に位置するように重ね合わせ、重ね合わせた個所を熱接着することにより、図５に示す紙製容器本体２’を得ることができる。それ故に、前記フランジ板２０４、２０５及びフランジ接合片２０６で図１、２に示したフランジ部２０が形成される。また、図５からも明らかなように、略コの字形状の凹部２１を設けたフランジ板２０５側のフランジ接合片２０６に設けた切欠２２は前記凹部２１の部分に前記フランジ接合片２０６が侵入することを防止するためである。このように構成した紙製容器本体２’は、紙製蓋体３に設けた摘み部３０の突出長さが小さくても、より摘み易い摘み部とすることができる。なお、前記凹部２１は必要に応じて設ければよいのであって、もちろん設けなくてもよいし、この場合は、前記フランジ接合片２０６に設けた切欠２２についても、設けてもよいし設けなくてもよいものである。また、紙製容器本体２’を形成する原紙は、紙器用紙の両面に上記したような熱接着性樹脂層を設けた層構成からなるものであってもよい。
【００２１】
また、今までは、前記紙製蓋体３の前記切欠３１と前記摘み部用切目手段３２と前記開口開始用切目手段３３とで挟まれた前記摘み部３０に連接する部分Ａ（図１、２参照）に対応する前記容器本体２の前記フランジ部については紙製蓋体２で熱接着しない事例を挙げて説明してきたが、このＡで示す部分を部分的に熱接着、いわゆるポイントシールしてもよく、このように構成することにより、略全周に亘り熱接着されることになり、一層悪戯等の改竄行為を抑止することができる。
【００２２】
また、今までは、長方形状開口部を有する容器本体とした実施例を挙げて説明してきたが、これについても三角形状、五角形状等色々な角形状を採ることができることはいうまでもないことである。また、紙製蓋体に用いる熱接着性樹脂層と容器本体の少なくともフランジ部に用いる熱接着性樹脂層は、上記したオレフィン系樹脂に限ることはなく、互いに相溶性のある樹脂であればよいものである。
【００２３】
【発明の効果】
本発明の包装容器は、今まで縷々説明してきたように、紙製蓋体を容易に開封することができると共に綺麗な開封部を得ることができるという優れた効果を奏するものである。さらに一度開封すると再封することができないのみならず、開封した痕跡（切断跡）が残るために悪戯等の改鼠行為を抑止することができるという優れた効果を奏するものである。
【図面の簡単な説明】
【図１】  本発明にかかる包装容器の一実施例を示す概略斜視図である。
【図２】  図１に示す包装容器を紙製蓋体側から見た平面図である。
【図３】  （ａ）は図２のＸ−Ｘ線断面図、（ｂ）は図２のＹ−Ｙ線断面図、（ｃ）は図２のＺ−Ｚ線断面図である。
【図４】  本発明の紙製蓋体を開封した状態を示す図３（ｃ）に対応する図である。
【図５】  本発明の紙製容器本体の一実施例を示す一部透視斜視図である。
【図６】  図５の展開図である。
【符号の説明】
１                        包装容器
２，２’                  容器本体
３                        紙製蓋体
２０                      フランジ部
２１                      凹部
２２，３１                切欠
３０                      摘み部
３２                      摘み部用切目手段
３３                      開口開始用切目手段
３４                      開口用裏半切線
３５                      開口用表半切線
２００                    底壁
２０１，２０２            側壁
２０３                    折込み接合壁
２０３ａ、２０３ｂ        折込み板
２０４，２０５            フランジ板
２０６                    フランジ接合片
２１０，２１１，２１２    折罫
２１３，２１４，２１５    折罫
α，β                    端部
【図１】
0004549574.tif 000002
【図２】
0004549574.tif 000003
【図３】
0004549574.tif 000004
【図４】
0004549574.tif 000005
【図５】
0004549574.tif 000006
【図６】
0004549574.tif 000007